(57)【要約】【課題】実用時に良好な制動力の調節操作が行えるスプール制動装置を備えてなる魚釣用リ−ルを提供することを目的とする。【解決手段】本発明の魚釣用リールは、リール本体１の一方の側板３ｂ側に回転自在に支持したハンドル軸７に制動部材２４で摩擦結合される駆動歯車１７により、リール本体１の側板３ａ、３ｂ間に支持されたスプール６を回転可能とすると共に、ハンドル軸７に螺合した制動力調節体２０の回動操作で制動部材２４を押圧し駆動歯車１７の摩擦結合力を強弱に変更することでスプール６の制動力を調節できるようにした構成において、一方の側板３ｂのハンドル側支持部２５の外周部に筒体２６を取り付け固定し、筒体２６の径方向内側に制動力調節体２０の環状部２０ａを軸方向に重合可能に配置したことしたことを特徴とする。【選択図】        図３
2005210954.tif 000002
【特許請求の範囲】
【請求項１】
リール本体の一方の側板側に回転自在に支持したハンドル軸に制動部材で摩擦結合される駆動歯車を設け、該駆動歯車により前記リール本体の側板間に支持されたスプールを回転可能とすると共に、前記ハンドル軸に螺合した制動力調節体の回動操作で前記制動部材を押圧し前記駆動歯車の摩擦結合力を強弱に変更することで前記スプールの制動力を調節できるようにした魚釣用リールにおいて、前記一方の側板に形成したハンドル側支持部の外周部に筒体を取り付け固定し、該筒体の径方向内側に前記制動力調節体の環状部を軸方向に重合可能に配置したことを特徴とする魚釣用リ−ル。
【発明の詳細な説明】
【技術分野】
【０００１】
本発明は、リール本体の側板間に回転自在に支持されたスプールに制動力を付与するスプール制動装置を備えた魚釣用リ−ルに関する。
【背景技術】
【０００２】
従来周知のように、リール本体の側板間に回転自在に支持したスプールには、適度な制動力を付与して魚釣り時における釣糸の切断防止や魚との対応をトラブルなく容易にするために制動装置が設けられている。
【０００３】
この制動装置は、特許文献１で知られるように、リール本体の一方の側板に回転自在に支持したハンドル軸に回転可能に嵌合された駆動歯車は、複数の制動板でハンドル軸に摩擦結合され、ハンドル軸に進退自在に螺合する制動力調節体で制動板を介して押圧されて摩擦結合力が調節される。制動力調節体は、ハンドル軸に螺合される螺合部と側板のハンドル側支持部の外周をカバーする環状部と指で回動操作される操作部とで形成されている。
【特許文献１】特開平１１−１１３４６４号公報
【発明の開示】
【発明が解決しようとする課題】
【０００４】
上記した特許文献１に開示されているスプールの回転に制動力を付与する制動装置は、駆動歯車を摩擦結合するハンドル軸に制動力調節体が軸方向に進退自在に螺合され、この制動力調節体を回動操作することで複数の制動板を介して駆動歯車を押圧し、駆動歯車の摩擦結合力、つまり、駆動歯車に連結されて動力伝達されるスプールの回転の制動力が付与されるように構成されている。
【０００５】
ハンドル軸に進退自在に螺合される制動力調節体の基部には、一方の側板のハンドル軸を支持するハンドル側支持部の径方向外方に間隙を有した状態で重合する環状部が形成され、異物や釣糸等が内部に浸入、付着しないように保護しているが、側板外面に付着されている水分やゴミ等が、この間隙から内部に浸入し易い。又、制動力調節体の基部の環状部に、釣場の移動時や実用時に外力が加わって傷や変形が生じ易く、制動力調節体の回動操作に支障を来すと共に、制動力調節体の環状部に手の指が接触し易く、良好な操作性が得られない。又、リール本体の軽量化に伴って側板が合成樹脂材で成形されているものが一般的に知られているが、ハンドル軸を支持する支持部が突設されている事なども影響して傷が付き易い、等の問題があった。
【０００６】
本発明は、上記問題に基づいて成されたものであり、実用時に良好な制動力の調節操作が行えるスプール制動装置を備えてなる魚釣用リ−ルを提供することを目的とする。
【課題を解決するための手段】
【０００７】
上記した目的を達成するために、本発明に係わる魚釣用リールは、リール本体の一方の側板側に回転自在に支持したハンドル軸に制動部材で摩擦結合される駆動歯車を設け、該駆動歯車により前記リール本体の側板間に支持されたスプールを回転可能とすると共に、前記ハンドル軸に螺合した制動力調節体の回動操作で前記制動部材を押圧し前記駆動歯車の摩擦結合力を強弱に変更することで前記スプールの制動力を調節できるようにした魚釣用リールにおいて、前記一方の側板に形成したハンドル側支持部の外周部に筒体を取り付け固定し、該筒体の径方向内側に前記制動力調節体の環状部を軸方向に重合可能に配置したことを特徴とする。
【発明の効果】
【０００８】
本発明によれば、側板のハンドル側支持部の外周部に取り付け固定した筒体の内側に、ハンドル軸に螺合する制動力調節体の環状部を重合可能に配置する構成を採用したので、側板外面に付着されている水分やゴミ等が制動装置内部に浸入し難いと共に、制動力調節体の環状部に回動操作時に手の指が接触し難く、良好な制動力の調節操作が行える。
又、側板を合成樹脂で形成する場合には、材質や表面処理の選択により、ハンドル側支持部の補強がリール全体の軽量化の維持を図りながら可能となり、又、側板の制約を受けることなく、材質、表面処理に加えて色調選択の自由度も増すので、バリエーションに富んだ外観設計が可能となる。
【発明を実施するための最良の形態】
【０００９】
以下、本発明に係わる魚釣用リールの実施形態について、添付図面を参照して具体的に説明する。
図１〜図４は、本発明に係わる魚釣用リールの第１の実施形態を示す図であり、図１は平面図、図２は図１のＡ−Ａ線に沿う断面図、図３は主要部の一部切欠断面図、図４は主要部の拡大断面図である。
【００１０】
本実施形態の魚釣用リールのリール本体１は、左右フレーム２ａ、２ｂと、各フレームに対し、所定の空間をもって装着される左右側板３ａ、３ｂとを備えており、一方の右フレーム２ｂ及び一方の右側板３ｂには、ハンドル５を装着したハンドル軸７が回転可能に支持されている。左右側板３ａ、３ｂは図示しないネジで左右フレーム２ａ、２ｂに着脱可能に取り付け固定されている。
【００１１】
左フレーム２ａの図示しない軸受及び右フレーム２ｂ側に設けた複数の軸受４ａ、４ｂ、４ｃ等で支持されているスプール軸５を介してスプール６が回転可能に支持されている。
スプール６の前方（釣糸繰り出し側）の左右フレーム２ａ、２ｂ間に形成された図示しない公知の収容部には、スプール駆動用モータＭが収容保持されている。スプール駆動用モータＭの動力は、遊星歯車から成る減速機構８、歯車又はベルト等から構成される動力伝達部９を介してスプール軸５に伝達される。
【００１２】
スプール軸５の右フレーム２ｂ側には、太陽歯車１０が回り止め固定され、この太陽歯車１０には、スプール６の側部に固定されたカバー体１４の基部内周に設けた軸受４ｂで支持される支持体１１に回転可能に軸支されている遊星歯車１２が噛合し、この遊星歯車１２はスプール６の側部内側に一体的に形成された内歯歯車１３に噛合している。スプール６の側部には環状のカバー体１４が固定され、このカバー体１４の基部外周は右フレーム２ｂの前記軸受４ｃに回転可能に支持されて、スプール６を左右フレーム２ａ、２ｂ間に回転可能に支持する。
【００１３】
前記支持体１１の右側板３ｂ側の端部には、回り止め係合部１１ａが形成され、右フレーム２ｂに設けた軸受４ｄと右側板３ｂに設けた軸受４ｅに回転自在で且つ軸方向移動可能に支持されたピニオン１５のスプール６側の端部に形成したクラッチ係合部１５ａが、図３の釣糸巻き取り状態（クラッチＯＮ）からスプール６の後方側の左右フレーム２ａ、２ｂ間に上下方向に変位可能に設けた切換部材１６を下方へ移動操作することで、公知の作動部材を介して前記支持体１１の回り止め係合部１１ａからピニオン１５のクラッチ係合部１５ａが分離されて係合状態が解除され、スプール６が釣糸放出状態（クラッチＯＦＦのスプールフリー可能状態）に切換わる。
又、このスプール６の釣糸放出状態から前記ハンドル５を巻き取り方向に回転操作すると、
図示しない公知の復帰機構を介して前記ピニオン１５がスプール６側に移動して前記支持体１１の回り止め係合部１１ａに再係合し、スプール６が釣糸巻き取り状態に復帰する。
【００１４】
右フレーム２ｂに設けた軸受４ｆと右側板３ｂに設けた軸受２２で回転自在に支持された前記ハンドル軸７に回転可能状態でドラグ機構Ｄによって摩擦結合される駆動歯車１７は、前記ピニオン１５に噛合し、ハンドル５を回転することでハンドル軸７、ドラグ機構Ｄ、駆動歯車１７、ピニオン１５、支持体１１、遊星歯車１２、内歯歯車１３等を介して手動回転力がスプール６に伝達され、釣糸がスプール６に巻回される。尚、ハンドル５による回転力がスプール６に伝達されるように、スプール駆動モータＭの右フレーム２ｂ側のモータ駆動軸側には一方向クラッチ１８が設けられている。
図３中の１９は、ハンドル軸７と右側板３ｂとの間に設けられた転がり式一方向クラッチで、転がり式一方向クラッチ１９の楔作用により、ハンドル軸７の巻き取り方向の正回転を許容し、逆回転を防止する逆転防止装置を構成している。又、２０は、前記駆動歯車１７の摩擦結合力（ドラグ力）を調節する前記ハンドル軸７に進退可能に螺合されている制動力調節体（ドラグ力調節部材）である。
【００１５】
この制動力調節体２０を回動操作することで、板バネ２１、軸受２２（ハンドル軸７を右側板３ｂに支持する軸受）、一方向クラッチ１９の内輪２３（ハンドル軸７に軸方向移動可能に回り止め嵌合されている）を介して複数の制動板２４を押圧して、前記ハンドル軸７に対する前記駆動歯車１７の摩擦結合力、つまり、動力伝達されるスプール６に付与される制動力が調節される。
制動力調節体２０の基部側には筒状の環状部２０ａが右側板３ｂに向けて一体形成され、この環状部２０ａは、前記右側板３ｂの外側に向けて突設形成されたハンドル側支持部２５の外周部に取り付け固定された筒体２６の径方向内側に間隙を有した状態で軸方向に重合可能に配置されている。又、右側板３ｂのハンドル側支持部２５の前記ハンドル軸７を支持する軸受２２を嵌合支持する嵌合部２５ａの外周には、金属製の補強リング３２が嵌着固定されて、合成樹脂材で成形された右側板３ｂの嵌合部２５ａを強度的に補強している。
【００１６】
前記筒体２６は、各種の金属材（アルミニウム合金、ステンレス鋼、銅合金等）に表面処理（陽極酸化処理、メッキ処理、イオンプレーティングや蒸着等のドライコーティング処理等）したもの、或いは、各種の合成樹脂材に表面処理したもの等で形成され、前記右側板３ｂに突設された円筒状のハンドル側支持部２５の外周部に、接着や圧入又は成形等によって一体的に取り付け固定したり、又は、螺合手段で着脱可能に取り付け固定されている。
筒体２６を着脱可能とすることで、損傷した場合の交換が容易で経済的であると共に外観変更の自由度が向上する。尚、リール本体の左右フレーム２ａ、２ｂは強度を有するアルミニウム合金等の金属材で形成され、又、左右側板３ａ、３ｂは、合成樹脂材で成形されてリール本体全体の軽量化が図られている。
【００１７】
次に本発明に係わる魚釣用リールの動作について説明する。
ハンドル５を回転操作すると、駆動歯車１７、ピニオン１５、遊星歯車１２、内歯歯車１３を介してスプール６が巻き取り方向に回転される。この時に公知のようにハンドル５の回転又はスプール６の回転に連動して、スプール６の前方の左右フレーム２ａ、２ｂ間に設けたレベルワインド機構Ｒの釣糸案内体２７が左右に往復動して釣糸をスプール６に平行に巻回する。釣糸案内体２７の下側には図６及び図７に示すように開口部２７ａが形成され、ハンドル５の回転又はスプール６の回転に連動回転するトラバースカム軸２８に係合する係合ピン２９が、左右フレーム２ａ、２ｂ間に一体形成された釣竿装着部Ｓ側の下側から前記開口部２７ａに挿入収容され、そして係合ピン２９は、左右フレーム２ａ、２ｂに架設された釣糸案内体２７を移動案内する案内ピラー３０に抜け止め固定されたカラー３１を介して下側に脱落しないように抜け止め規制支持されている。
【００１８】
釣場の状況（対象魚の種類や大きさ及び強さ、釣糸の巻回量や強度等）に対応すべく、スプール６の回転制動状態を調節する場合には、前記制動力調節体２０を回動操作して前記駆動歯車１７の摩擦結合力を強弱に調節することで対応できる。
本発明は、スプール制動力を調節する制動力調節体２０の環状部２０ａを、右側板３ｂのハンドル側支持部２５の外周部に取り付け固定した筒体２６の径方向内側に軸方向に重合可能となる配置構成を採用したので、右側板３ｂ外面に付着されている水分やゴミ等が制動装置内部に浸入し難いと共に、制動力調節体２０の環状部２０ａに回動操作時に手の指が接触し難くて保護され、良好な制動力の調節操作が行える。
又、右側板３ｂを合成樹脂で形成する場合には、材質や表面処理の選択により、ハンドル側支持部２５の補強がリール全体の軽量化の維持を図りながら可能となり、又、側板の制約を受けることなく、材質、表面処理に加えて色調選択の自由度も増すので、バリエーションに富んだ外観設計が可能となる、等の実釣りを行う場合や設計段階において優れた効果を奏する魚釣用リールが得られる。
【００１９】
図５は、本発明に係わる魚釣用リールの第２の実施形態を示す主要部の拡大断面図である。前記第１の実施形態では、右側板３ｂのハンドル側支持部２５に取り付け固定される筒体２６と補強リング３２とをそれぞれ別体で形成したが、本実施形態では筒体２６に連結壁部２６ａを形成して補強リング３２とを一体形成し、ハンドル側支持部２５に取り付け固定したものであり、このように一体形成することで、補強効果が向上すると共に製造段階の組み付け及び取り扱いが便利となる。
【産業上の利用可能性】
【００２０】
前記説明では、スプールをスプール駆動モータで巻き取り駆動する手動併用電動リールで述べたが、手動ハンドル巻き取り専用の魚釣用リ−ルに実施してもよい。
【図面の簡単な説明】
【００２１】
【図１】本発明に係わる魚釣用リールの第１の実施形態を示す平面図である。
【図２】図１のＡ−Ａ線に沿う断面図である。
【図３】主要部の一部切欠断面図である。
【図４】主要部の拡大断面図である。
【図５】本発明に係わる魚釣用リールの第２の実施形態を示す主要部の拡大断面図である。
【図６】本発明に係わる魚釣用リールの釣糸案内体の背面図である。
【図７】図６のＢ−Ｂ線に沿う断面図である。
【符号の説明】
【００２２】
１      リ−ル本体
３ｂ    右側板
７      ハンドル軸
２４    制動部材
６      スプール
２０    制動力調節体
２５    ハンドル側支持部
２６    筒体
２５ａ  環状部
【図１】
2005210954.tif 000003
【図２】
2005210954.tif 000004
【図３】
2005210954.tif 000005
【図４】
2005210954.tif 000006
【図５】
2005210954.tif 000007
【図６】
2005210954.tif 000008
【図７】
2005210954.tif 000009